(57)【要約】【課題】底部に突起部を有するなどして、底部を下にして真っ直ぐに立てることが難しいフランジ付きの物品をその底部を下した姿勢で整列させることができる回転円板式の物品供給装置を提供する。【解決手段】回転円板１５と回転容器７が反時計回りの方向へ回転する。回転容器７内の食品容器Ｃは、回転円板１５の乗り移りポイントＰにおいて旋回トラック１１へ乗り移る。切欠き１３の幅寸法Ｎは食品容器Ｃの本体Ｃ１の最大の直径Ｄ１より僅かに大きく、フランジＣ３の直径Ｄ２より小さい寸法に設定されているので、底部を下側にした姿勢の食品容器Ｃのみが切欠き１３に落ち込み、且つフランジＣ３が切欠きの縁に掛かった状態で係止されて保持されて、整列される。【選択図】        図１
2013056737.tif 000002
【特許請求の範囲】
【請求項１】
上面に開口を有し回転する回転容器と、前記回転容器の外周部に設けられた旋回トラックと、前記回転容器内に傾斜した姿勢で備えられ回転する回転円板とを有し、物品を前記回転円板から前記旋回トラックへ乗り移らせて整列する回転円板式の物品供給装置において、前記物品は本体部と前記本体部の周方向へ突出するフランジを有するものであり、前記旋回トラックに複数の切欠きを形成して、前記切欠きに物品の本体部が落ち込み、且つ前記フランジが切欠きの縁に掛かった状態で保持されることを特徴とする回転円板式の物品供給装置。
【請求項２】
請求項１に記載した回転円板式の物品供給装置において、切欠きは等間隔に配置されていることを特徴とする回転円板式の物品供給装置。
【請求項３】
請求項１または２に記載した回転円板式の物品供給装置において、旋回トラックに保持された物品に直線部が摺接して、回転容器と共に旋回トラックが回転するに従って前記物品を切欠きの開口から徐々に押し出す摺接ガイドを備えたことを特徴とする回転円板式の物品供給装置。
【発明の詳細な説明】
【技術分野】
【０００１】
本発明は回転円板式の物品供給装置に係り、特に食品が充填されたカップ等の本体部とこの本体部の周方向へ突出するフランジを有する物品を整列供給する回転円板式の物品供給装置に関する。
【背景技術】
【０００２】
特許文献１に記載された供給装置は、回転する円板から旋回する回転容器の外周部に設けられた旋回トラックに物品が乗り移り、この旋回トラックに乗り移った物品が整列されて搬送するものであり、機械部品、食品等の供給に広く利用されている。
ところで、図４に示す食品が充填された食品容器Ｃのように本体Ｃ１の底部に突起部Ｃ２を有し、上端部に周方向へ突出するフランジＣ３を有するものがある。このフランジＣ３は周方向に連続するように形成されている。
【先行技術文献】
【特許文献】
【０００３】
【特許文献１】特許第３２１７９８３号公報
【発明の概要】
【発明が解決しようとする課題】
【０００４】
しかしながら、食品容器Ｃは突起部を有しているので底部を下にして真っ直ぐに立たせることが難しく、旋回トラックに乗り移らせて整列させることが困難であるという問題がある。なお、食品容器Ｃの上面側を下にして整列させることも考えられるが、供給装置の下流で行う食品容器の箱詰めのように食品容器Ｃの底部を下にしなければならないことが殆どである。
本発明は、上記従来の問題点に着目してなされたものであり、底部に突起部を有するなどして、底部を下にして真っ直ぐに立てることが難しいフランジ付きの物品をその底部を下した姿勢で整列させることが可能な回転円板式の物品供給装置の提供を、その目的とする。
【課題を解決するための手段】
【０００５】
本発明は上記課題を解決するためになされたものであり、請求項１の発明は、上面に開口を有し回転する回転容器と、前記回転容器の外周部に設けられた旋回トラックと、前記回転容器内に傾斜した姿勢で備えられ回転する回転円板とを有し、物品を前記回転円板から前記旋回トラックへ乗り移らせて整列する回転円板式の物品供給装置において、前記物品は本体部と前記本体部の周方向へ突出するフランジを有するものであり、前記旋回トラックに複数の切欠きを形成して、前記切欠きに物品の本体部が落ち込み、且つ前記フランジが切欠きの縁に掛かった状態で保持されることを特徴とする回転円板式の物品供給装置である。
【０００６】
請求項２の発明は、請求項１に記載した回転円板式の物品供給装置において、切欠きは等間隔に配置されていることを特徴とする回転円板式の物品供給装置である。
【０００７】
請求項３の発明は、請求項１または２に記載した回転円板式の物品供給装置において、旋回トラックに保持された物品に直線部が摺接して、回転容器と共に旋回トラックが回転するに従って前記物品を切欠きの開口から徐々に押し出す摺接ガイドを備えたことを特徴とする回転円板式の物品供給装置である。
【発明の効果】
【０００８】
本発明の回転円板式の物品供給装置によれば、底部に突起部を有するなどして、底部を下にして真っ直ぐに立てることが難しいフランジ付きの物品を、その底部を下にした姿勢で整列させることが可能となる。
【図面の簡単な説明】
【０００９】
【図１】本発明の実施の形態に係る回転円板式の物品供給装置の斜視図である。
【図２】図１のＡ−Ａ断面図である。
【図３】本発明の実施の形態に係る回転円板式の物品供給装置の平面図である。
【図４】物品としての食品容器の正面図である。
【発明を実施するための形態】
【００１０】
図面にしたがって本発明の実施例に係る回転円板式の物品供給装置１を説明する。
符号３は基台を示し、この基台３にはボールベアリング５が備えられており、このボールベアリング５に回転容器７が回転自在に支持されている。この回転容器７は上面に開口を有し、この開口を上に向けて水平な姿勢で支持されている。また、回転容器７は図示しない駆動装置により図３において反時計回りの方向へ回転させられる。回転容器７の外周部９の上端には旋回トラック１１が形成されている。
【００１１】
旋回トラック１１には３６個の切欠き１３が形成され、これらの切欠き１３は等間隔で配置されている。切欠き１３の奥側端面１３ａは食品容器Ｃの本体Ｃ１に沿う円弧状に形成され、この奥側端面１３ａに連続する両側端面１３ｂは直線状に延びていて、旋回トラック１１の外周面に開口１３ｃが形成されている。また、切欠き１３の幅寸法Ｎは図４に示した食品容器Ｃの本体Ｃ１の最大の直径Ｄ１より僅かに大きく、フランジＣ３の直径Ｄ２より小さい寸法に設定されている。
【００１２】
回転容器７内には回転円板１５が傾斜した姿勢で備えられており、この回転円板１５は軸１７の上端部に固定されている。軸１７は軸受２０に回転自在に支持され、軸１７は図示しない駆動装置によって回転させられる。回転円板１５の最も高い位置が後述する食品容器Ｃの乗り移りポイントＰとなる。
また、基台３には円筒形のハウジング１９が固定されて備えられており、このハウジング１９の外周面には矩形の開口２１が形成されている（図３参照）。
【００１３】
符号２３は支持部材を示し、この支持部材２３はある程度の長さを有する長方形の板状体によって構成されている。支持部材２３は旋回トラック１１の下側に間隔をあけて備えられ、この間隔は食品容器Ｃの本体Ｃ１の高さ寸法より僅かに大きい寸法に設定されている。
支持部材２３には一対の真っ直ぐな板状のガイドレール２５、２７が間隔を開けて取り付けられており、この間隔は食品容器ＣのフランジＣ３の直径より僅かに小さい寸法に設定されている。
内側（回転容器７側）に備えられた摺接ガイドとしてのガイドレール２５は後端部２５ａが切欠き１３の奥側端面１３ａより内側に延びている。
もう一方のガイドレール２７の後端部２７ａはガイドレール２５の後端部２５ａより支持部材２３の先端部側に位置している。
【００１４】
次に、この回転円板式の物品供給装置１の動作について説明する。
まず、回転容器７に食品容器Ｃを入れる。そして、駆動スイッチを入れると、回転円板１５と回転容器７が、図３において反時計回りの方向へ回転する。回転容器７内の食品容器Ｃは、回転円板１５の乗り移りポイントＰにおいて旋回トラック１１へ乗り移る。
【００１５】
前述のように切欠き１３の幅寸法Ｎは食品容器Ｃの本体Ｃ１の最大の直径Ｄ１より僅かに大きく、フランジＣ３の直径Ｄ２より小さい寸法に設定されているので、底部を下側にした姿勢の食品容器Ｃのみが切欠き１３に落ち込み、且つフランジＣ３が切欠きの縁に掛かった状態で係止されて保持されて、整列される。
また、底部を下側にした姿勢以外の場合、例えばフランジＣ３を下側にした姿勢の食品容器Ｃは切欠き１３に落ち込まず、図示しないガイド部材にガイドされて旋回トラック１１から回転容器７内に落下する。
【００１６】
上記の回転容器７から旋回トラック１１へ乗り移り、切欠き１３に落ち込んで保持される動作が連続して行われて、食品容器Ｃが切欠き１３に次々と保持される。切欠き１３に保持された食品容器Ｃが旋回トラック１１の回転によってガイドレール２５の後端部２５ａが配置された箇所へ搬送されると、食品容器Ｃの本体Ｃ１の周面が、ガイドレール２５の直線部としての内側面２５ｂに摺接する。
【００１７】
ガイドレール２５の内側面２５ｂは旋回トラック１１に保持された食品容器Ｃの移動（回転）軌跡である円の接線となっているので、回転容器７と共に旋回トラック１１が反時計周りの方向へ更に回転するに従い、食品容器Ｃは摺接するガイドレール２５の内側面２５ｂによって、開口１３ｃの方向へ移動させられ、開口１３ｃから徐々に押し出されて切欠き１３から外れる。切欠き１３から外れた食品容器Ｃは、フランジＣ３が一対のガイドレール２５、２７の上端面に支持されて、支持部材２３から僅かに浮いた状態となる。かかる動作が連続的に行われて、食品容器Ｃは旋回トラック１１からガイドレール２５、２７へ移動する。
【００１８】
前述のように切欠き１３は等間隔で配置されているので、ガイドレール２５、２７へ移った食品容器Ｃも等間隔で並んだ状態となり、食品容器Ｃを箱詰め等する作業が行いやすいものとなる。
上記のように食品容器Ｃは、底部を下側にした姿勢で本体Ｃ１が切欠き１３に落ち込み、且つフランジＣ３が切欠きの縁に掛かった状態で保持されるので、底部を下した姿勢で整列させることができる。
【００１９】
以上、本発明の実施の形態について詳述してきたが、具体的構成は、この実施の形態に限定されるものではなく、本発明の要旨を逸脱しない範囲における設計の変更などがあっても発明に含まれる。
例えば、上記実施の形態では、物品として食品容器Ｃを示したが、本発明はこれに限定されず、機械部品等の他の種類の物品であってもよい。また、切欠きの形状も上記したもので限定されず、例えば奥側端面が円弧状以外の形状であってもよい。
また、食品容器ＣのフランジＣ３方向に連続するように形成されているが、間欠して形成されたものでも、切欠き１３の縁に掛かるものであればよい。
【産業上の利用可能性】
【００２０】
本発明の回転円板式の物品供給装置は、機械製造業等において利用可能性を有する。
【符号の説明】
【００２１】
１…回転円板式の物品供給装置      ３…基台      ５…ボールベアリング
７…回転容器      ９…回転容器の外周部      １１…旋回トラック
１３…切欠き      １３ａ…切欠き１３の奥側端面
１３ｂ…切欠き１３の両側端面      １３ｃ…切欠き１３の開口
Ｎ…切欠き１３の幅寸法      １５…回転円板      １７…軸
１９…ハウジング      ２０…軸受      ２１…開口      ２３支持部材
２５、２７…ガイドレール      ２５ａ…ガイドレール２５の後端部
２５ｂ…ガイドレール２５の内側面
２７ａ…ガイドレール２７の後端部
Ｃ…食品容器      Ｃ１…食品容器Ｃの本体
Ｃ２…食品容器Ｃの底部の突起部      Ｃ３…食品容器Ｃのフランジ
Ｄ１…本体Ｃ１の最大の直径        Ｄ２…フランジＣ３の直径
Ｐ…食品容器Ｃの乗り移りポイント
【図１】
2013056737.tif 000003
【図２】
2013056737.tif 000004
【図３】
2013056737.tif 000005
【図４】
2013056737.tif 000006